(57)【特許請求の範囲】
【請求項１】
送信機より送信される電波を受信することにより、什器本体に対して可動自在に設けられた可動体を施解錠する施解錠装置を備える什器において、前記電波を受信するアンテナ部は、前記什器の外面に露出するように設けられた合成樹脂部材の裏面に取付けられ、前記施解錠装置の施解錠部と、該施解錠部を駆動するための各要素部、及びアンテナ部を可動体側に設けたことを特徴とする施解錠装置を備える什器。
【発明の詳細な説明】
【０００１】
【発明の属する技術分野】
本発明は、送信機より送信される電波を受信することにより、什器本体に対して可動自在に設けられた可動体を施解錠する施解錠装置を備える什器に関する。
【０００２】
【従来の技術】
従来から、主にオフィス等に設けられている什器には、機密性の高い書類等が収納されることがあるために、扉や引出し等の施解錠を行う施解錠装置が設けられているものがある。
【０００３】
このような什器の施解錠は、一般的にキー操作を行うことにより出来るようになっているが、例えば複数の什器の施解錠を一括管理する場合等において、什器毎に施解錠を行うことは大変な労力を要するため、複数の什器の扉や引出し等を自動的に、かつ一斉に施解錠できるシステム等も開発されている。
【０００４】
このようなシステムにおいては、各什器の施解錠装置にケーブル等を介して接続された制御装置により施解錠制御出来るようになっているが、このケーブルの配線作業が非常に煩雑になることから、前記什器の扉や引出し等の施解錠を、無線通信により遠方から制御可能な施解錠システムが、当出願人により特願２００１−２７５００４号として提案されている。
【０００５】
【発明が解決しようとする課題】
しかしながら、上記のように無線通信による施解錠制御を実施する場合には、送信機等により遠方から送信される施解錠信号を受信しやすいように受信部（アンテナ部）を什器側に組み付ける必要があるが、アンテナ部を什器から大きく突出させて設けると、什器の配設時や使用時においてアンテナ部が邪魔になったり、外観体裁が損なわれることがある。
【０００６】
そこで、アンテナ部が外部に大きく突出しないように什器に取付けることが好ましいが、例えばオフィス等において一般的に使用される什器類は、耐久性等の面から金属板により構成されていることが多く、このような場合、送信機から送信された施解錠信号の受信が金属板の影響により正常に行われず、扉や引出し等の施解錠が確実に行われなくなる恐れがあった。
【０００７】
本発明は、このような問題点に着目してなされたもので、送信機から送信される電波を良好に受信して、什器の可動体の施解錠が確実に行われるようにした施解錠装置を備える什器を提供することを目的とする。
【０００８】
【課題を解決するための手段】
上記課題を解決するために、本発明の施解錠装置を備える什器は、送信機より送信される電波を受信することにより、什器本体に対して可動自在に設けられた可動体を施解錠する施解錠装置を備える什器において、前記電波を受信するアンテナ部は、前記什器の外面に露出するように設けられた合成樹脂部材の裏面に取付けられ、前記施解錠装置の施解錠部と、該施解錠部を駆動するための各要素部、及びアンテナ部を可動体側に設けたことを特徴としている。
この特徴によれば、アンテナ部が什器の外面に露出するように設けられた合成樹脂部材の裏面に取付けられているので、電波を受信しやすくなるとともに、什器が金属製である場合には、アンテナ部が金属部に直接接触して電波を正常に受信出来なくなったり、送信される電波が金属部に遮断されて受信出来なくなることがないので、什器の可動体の施解錠が確実に行われる。また施解錠部と、その駆動要素部と、アンテナ部とが可動体に設けられているので、配線を可動部側だけで簡素にまとめることができ、施解錠装置の組み付けやメンテナンスにおける作業性の向上が図れる。
【００１５】
【発明の実施の形態】
（実施例１）
以下、本発明の実施例を図面に基づいて説明すると、まず図１には、収納庫であるキャビネットの斜視図が示されており、このキャビネット１には、可動体としての上下３段の引出し２が前後移動自在に収容されており、上段の引出し２ａには、引出し２を施解錠する施解錠装置を構成する各要素部が設けられている。なお、特に図示しないが、下方の２段の引出し２は、引出し２ａの施解錠装置による施解錠動作に連動して施解錠されるように構成されている。
【００１６】
図２に示されるように、上段の引出し２ａは、金属板からなる底板３、側板（側壁）４、４’、後板５、前板６とから上面が開口する箱状に構成されており、内部に形成された収納部７内に物品を収納出来るようになっている。
【００１７】
側板４、４’の外面には、図２に示されるように、キャビネット１の本体１ａの側板８、８’の内面に前後方向に向けて固設された断面内向きコ字形をなす固定レール９内を長手方向に移動自在に遊嵌される移動レール１０が固設されている。
【００１８】
移動レール１０は、内部に後述する接続コード類を配線可能な配線空間部Ｓが引出し２ａの前後方向にわたって形成されるように、板状の鋼板を折り曲げ加工することにより構成されており、その下端片の一部を側板４、４’の外面に溶接することにより側板４、４’の外面に固設されており、その後端部所定箇所には、合成樹脂材により略コ字状に形成された滑り部材１１が取付けられている。
【００１９】
これら固定レール９と移動レール１０とにより、引出し２ａをキャビネット１の本体１ａに前後方向に移動自在に案内する案内レールが構成されており、移動レール１０の下面所定箇所が、本体１ａの側板８’内面前端部に回転自在に設けられた支持ローラ１２により前後方向に移動自在に受支されるとともに、滑り部材１１の上下面が固定レール９の上下内面に摺接して移動レール１０の後端部の上下移動が固定レール９により規制されることで、引出し２ａが前後方向に移動自在に案内されるようになっている。なお、中段、下段の引出し２本体は上記引出し２ａと同様に構成されている。
【００２０】
前板６の前面側には、中央部に取手１３が形成される、合成樹脂材からなる外面板としての化粧板１４が着脱自在に取付けられており、前板６の後面と化粧板１４との間に形成された収容空間部Ｓ２内には施解錠部が収容されている。
【００２１】
施解錠部は、収容空間部Ｓ２内における側板４側端部よりに、左右方向に移動自在に設けられる作動板１６からなり、該作動板１６は、外側端部が側板４の前端部に形成された挿通孔４ａから突出して側板８内面前部に形成された施錠孔１７内に嵌合することにより引出し２ａの引出しを不能とする施錠位置と、施錠孔１７内に嵌合された外側端部が側板４側に退避して引出し２ａの引出しを可能とする解錠位置と、の間で移動自在に設けられている。この作動板１６は、例えばラック・ピニオンギヤ等からなる変換機構（図示略）を介して駆動部としての減速機付きモータ１８（以下減速モータと称する）が連係されており、この減速モータ１８を駆動させて作動板１６を前記施錠位置と解錠位置との間で移動させることにより引出し２ａが施解錠されるようになっている。なお、図３（ａ）中の２０は、作動板１６を前記施錠位置、解錠位置それぞれにおいて検出する施解錠検出センサである。
【００２２】
また、本実施例における作動板１６には、適宜キーを差し込み可能なキー孔２１が化粧板１４の前面に望むように設けられたシリンダ錠２２が連係されており、キー孔２１にキーを差し込んで回転させることで、作動板１６を手動操作で移動させて引出し２ａを施解錠出来るようになっている。
【００２３】
収容空間部Ｓ２内における取手１３を挟んで施解錠部の反対側端部には、引出し２ａが、作動板１６が外方に移動した際に施錠孔１７内に嵌合される適正な施錠可能位置にあるか否かを検出する検出スイッチ２４が設けられているとともに、引出し２ａの施解錠動作実施中において点灯するとともに、施解錠動作エラーが生じた際に点滅する報知ＬＥＤ２３が化粧板１４の前面に望むように設けられている。
【００２４】
本実施例における引出し２ａの施解錠は、電波を送信可能な送信機としてのリモコンキー（図示略）を利用者が操作することで遠方から行えるようになっており、空間部Ｓ２内には、前記リモコンキーから送信される施解錠指令信号（電波）を受信する受信部としてのアンテナ２５（アンテナ部）が設けられている。
【００２５】
減速モータ１８から延出されるモータケーブルＫ１、報知ＬＥＤ２３から延出されるＬＥＤケーブルＫ２、検出スイッチ２４から延出される引出し閉検出ケーブルＫ３、検出センサ２０から延出される施解錠検出ケーブルＫ４、アンテナ２５を形成するアンテナケーブルＫ５は、前板６における側板４’側の移動レール１０の前端に対向する箇所に形成されたケーブル挿通穴２６を通して前記移動レール１０内に形成された配線空間部Ｓ１内に挿通されている。
【００２６】
一方、収納部７内後部には、施解錠指令信号の受信に基づいて作動板１６を駆動する減速モータ１８の駆動制御を実施するＣＰＵ等が制御基板に搭載されてなる制御装置２７（制御部）、及び、減速モータ１８等に給電するための電気供給部としてのバッテリ２８が、後板５に沿うように配置されている。これら制御装置２７及びバッテリ２８は、底板３の上面に載置される載置板３０の上面に載置されているとともに、載置された状態においてその上方及び前方がカバー体２９により覆われて、外部からの埃、ゴミの進入や衝撃等から保護されるようになっている。
【００２７】
カバー体２９は、その下端片２９ａを載置板３０の一端縁部と底板３との間に形成された隙間内に挿入し、かつ、上板２９ｂの後端部を後板５の上部に形成された折曲げ片５ａ上に載置した状態で、上板２９ｂに形成された挿通孔から取付けネジ３１を挿通して折曲げ片５ａに形成されたネジ孔内に螺入することで取付け出来るようになっている。よって、制御装置２７やバッテリ２８等のメンテナンスが必要な場合は、ネジ３１を外してカバー体２９を取り外すことで容易に行うことが出来る。
【００２８】
制御装置２７の制御基板２７ａには、前述した各種ケーブルＫ（Ｋ１〜Ｋ５）が接続されている。詳しくは、移動レール１０の後端は後板５よりも後方まで延設されており、移動レール１０における後板５よりも後方の配線空間部Ｓ１の内側は開放されているため、移動レール１０と側板４’により囲まれる配線空間部Ｓ１内に配線されたケーブルＫは、後板５の後方位置にて内向きに折り返され、後板５における側板４’寄りに形成された挿通穴３２を挿通して制御基板２７ａに接続されている。
【００２９】
このように本実施例における施解錠装置は、可動体としての引出し２ａを収納位置にて引出し不能に施錠することが出来る施解錠部としての作動板１６と、この作動板１６を駆動するための各要素部である、駆動部としての減速モータ１８、減速モータ１８の駆動制御を実施する制御部としての制御装置２７、減速モータ１８や制御装置２７等に電気を供給する電気供給部としてのバッテリ２８等により構成されている。
【００３０】
図３（ａ）に示されるように、前記駆動部や制御部等から延出されているケーブルＫ１〜Ｋ５は、化粧板１４の裏面側に設けられているとともに、前記収容空間部Ｓ２の上部には、前記リモコンキーから送信された電波を受信するアンテナ２５が、化粧板１４の裏面に長手方向に延びるように設けられている。アンテナ２５は、受信した電波を前記制御部へ送信するために同軸ケーブルと接続端子５０により接続されて設けられている。アンテナ２５は受信する電波の波長に合わせた長さの銅線により構成されており、その周囲は樹脂材により被覆されている。
【００３１】
さらに具体的には、図３（ｂ）に示されるように、収容空間部Ｓ２の最も前側、すなわち、什器であるキャビネット１の外面板を構成する合成樹脂材からなる化粧板１４の裏面には、アンテナ２５が化粧板１４に沿うように固定用樹脂５１により固定されている。このように、アンテナ２５の前面（外面）側には電波の受信を妨害する金属板等の金属部が設けられていない状態となるため、前記リモコンキーから送信された電波を受信し易くなる。これにより、引出し２ａの施解錠が確実に行われることになる。
【００３２】
なお、アンテナ２５以外の施解錠装置等の制御に用いられるケーブルであるケーブルＫ１、Ｋ４においても、アンテナ２５と同様に固定樹脂５１により固定されて設けられている。
【００３３】
このように、電波を受信するアンテナ２５は、キャビネット１の外面板の一部を構成するように、外面に露出するように設けられた合成樹脂部材としての化粧板１４（外面板）の裏面に取付けられていることにより、その前面側には電波を遮る金属部等が存在しないことになるとともに、キャビネット１を構成する金属板からなる他の外面板等の金属部に直接接触しないように取付けられているため、電波を受信しやすくなり、ひいては引出し２ａの施解錠が確実に行われるようになる。
【００３４】
よって、主に金属板により構成されるキャビネット１にアンテナ２５を設ける場合においても、キャビネット１の外面板の所定箇所に、予め外面に露出するように設けられる合成樹脂部材（ここでは化粧板１４）を利用して、その裏面に取付けるようにすることにより、特別な絶縁処理等を行うことなく、金属部に接触しないようにアンテナ２５を簡単に取付けることが出来る。
【００３５】
（実施例２）
図４には、本発明の第２実施例の什器としてのキャビネット６０が示されている。
【００３６】
キャビネット６０は、什器の筐体６１と、筐体６１の前面開口を開閉自在とするように枢着された可動体としての扉６２と、から構成されている。扉６２は、金属板により内部が中空に構成されており、その一方の扉の内部には、前記実施例１において説明した施解錠装置と同様に、施解錠の制御を行う制御部２７や、該制御部２７や駆動部に電力を供給するバッテリ２８等が設けられている。また、右側の扉６２のキャビネット６０における中央部側には、上下方向に延びる連結棒６３が軸心周りに回転自在に設けられており、連結棒６３の上・下端部には、扉６２を閉塞した際において筐体６１側に設けられた係合部６８に係合する係合片６７が設けられている。
【００３７】
また、扉６２の長手方向略中央部には、特に図５（ｂ）に示されるように、扉６２を開閉する際に手を差し入れるための空間部を構成する合成樹脂材からなるカバー体６４が、その少なくとも一部が外面板を構成する扉６２の外面に露出するように設けられている。カバー体６４により前面側に開放するように形成された凹部６６内には、連結棒６３に取付けられた把手６５が設けられている。
【００３８】
扉６２の開閉時には、まずカバー体６４内に手を差し入れ、把手６５をつかむと把手６５と連結されている連結棒６３が図中矢印方向に回転し、これにより係合片６７が連結棒６３とともに回転し、係合部６８との係合が解除されて扉６２が開閉自在となるようになっている。
【００３９】
また、扉６２の施解錠は、前記実施例と同様にリモコンキーにより送信された電波（施解錠指令信号）が前記制御部２７に接続されているアンテナ２５’に受信されると、この信号の受信に基づき、施解錠部である作動棒７０が移動して連結棒６３の回転を規制するようになっており、これにより扉６２が開放不能に施錠されるようになっている。
【００４０】
また、本実施例における作動棒７０には、適宜キーを差し込み可能なキー孔６９が扉６２の前面に望むように設けられたシリンダ錠２２が連係されており、キー孔６９にキーを差し込んで回転させることで、作動棒７０を手動操作で移動させて扉６２を施解錠出来るようになっている。
【００４１】
アンテナ２５’は、図５（ｂ）に示されるように、キャビネット６０の外面に露出するように設けられるカバー体６４の裏面に、Ｕ字状に屈曲された状態でカバー体６４裏面に沿うように取付けられている。このようにアンテナ２５’は、一部が外面に露出するように予め扉６２に設けられた合成樹脂部材としてのカバー体６４の裏面に取付けられていることから、その前面側にはリモコンキーから送信される電波を遮る金属部が存在しないことになるため、前記リモコンキーから送信された電波は金属部等の影響を受けることなくアンテナ２５’に受信されることになり、可動体としての扉６２の施解錠が確実に行われることになる。
【００４２】
また、アンテナ２５’がカバー体６４の裏面に設けられることにより、什器であるキャビネット６０の外面にアンテナ２５’が露出することがないので、キャビネット６０の外観が損なわれることがない。
【００４３】
このように、主に金属板により構成されるキャビネット６０にアンテナ２５’を設ける場合においても、キャビネット１の外面板である扉６２の所定箇所に、予め外面に露出するように設けられる合成樹脂部材（ここでは把手部を構成するカバー体６４）を利用して、その裏面に取付けるようにすることにより、特別な絶縁処理等を行うことなく、金属部に接触しないようにアンテナ２５を簡単に取付けることが出来る。
【００４４】
図６には、図４に示されるキャビネット６０におけるアンテナ２５’の配設位置の変形例が示されている。
【００４５】
詳しくは、図６（ｂ）に示されるように、扉６２の上端部には、ベース部７１ａと、このベース部７１ａの上部に嵌合される蓋部７１ｂと、から構成される樹脂材からなるアンテナ固定部材７１が取付けられており、このアンテナ固定部材７１の内部にアンテナ２５’を設けることが出来るようになっている。よって、アンテナ２５’は、金属板からなる扉６２から離間するように、すなわち、金属部に対して非接触状態で、扉６２の上端面に沿うように設けられることになる。
【００４６】
ここで、アンテナを扉６２の上部へ設ける方法としては、まず、ベース部７１ａの裏面を扉６２の上面に貼り付け、アンテナ２５’をその上に載置して、アンテナ２５’が抜け落ちないようにその端部をベース部７１ａ上に固定し、その上に蓋部７１ｂを嵌め込むことで、アンテナ固定部材７１が扉６２の上部、すなわち、筐体６１と扉６２との間に形成されている隙間内に固定されるようになる。
【００４７】
このように、アンテナ２５’が扉６２の上端部と筐体６１の天板６１ａとの間に形成されている隙間内に収容されるように設けられることで、アンテナ２５’の前面側には、筐体６１や扉６２の金属板が存在することがなくなるため、前記リモコンキーにより送信された電波を受信しやすくなる。また、樹脂材からなるアンテナ固定部材７１内にアンテナ２５’を設けることで、扉６２や筐体６１を構成する金属部がアンテナ部２５’に接触しないため、電波を正常に受信出来るとともに、筐体６１の外面からアンテナ２５’を突出させることなく、外観体裁良く設けることが出来る。
【００４８】
また、図４〜図６にて説明したように、アンテナ２５’は、施解錠装置の施解錠部や、該施解錠部を駆動する各要素部としての制御部２７やバッテリ２８等が設けられる扉６２側に設けられているため、アンテナ２５’と該アンテナ２５’が接続される各要素部との間の配線が複雑化することがない。詳しくは、筐体６１と、筐体６１に対して回動自在に枢着された可動体としての扉６２との間で配線をする必要がないので、施解錠装置の組み付けやメンテナンスの作業性が向上するばかりか、扉６２の開閉動作により配線が切断されたりすることがない。
【００４９】
なお、本実施例においては、扉６２の上端部と筐体６１の天板６１ａとの間に形成されている隙間内に収容されるように設けられるアンテナ２５’は、扉６２側に取付けられているが、筐体側である天板６１ａの下面に取付けてもよい。なおこの場合、施解錠装置の施解錠部、及び該施解錠部を駆動する各要素部としての制御部２７やバッテリ２８等もアンテナ２５’が設けられる天板６１ａ側に設けるようにすることが好ましい。
【００５０】
（実施例３）
図７には、本発明の第３実施例の什器としてのキャビネット８０が示されている。
【００５１】
キャビネット８０は、筐体８１と、筐体８１に対して引出し自在に設けられた可動体としての複数の引出し８２とから構成されており、それぞれは金属板によって構成されている。
【００５２】
本実施例におけるキャビネット８０には、従来公知の転倒防止機構が備えられており、一つの引出し８２が開放されると、筐体８１の側面に設けられている連結棒８５が上昇することにより、該連結棒８５に設けられた係止部材（図示略）が他の引出し８２に係止されて、引出し８２の引出しが規制されるようになっている。
【００５３】
図８（ａ）、（ｂ）に示されるように、筐体８１の側板８１ｂ内部には、施解錠装置を駆動するための各要素部を構成する制御部２７やバッテリ２８が設けられている。制御部２７から延びた同軸ケーブルの先に、図示しない接続端子を介し接続された施解錠装置の施解錠指令の電波を受信するアンテナ２５’’は、筐体８１の天板８１ａの前端面端部に設けられており、このアンテナ２５’’の前面（外面）側はラベル８３により隠蔽されている。
【００５４】
このラベル８３は、例えばその什器の使用上の注意等が記述されているラベルであり、一般的には什器であるキャビネット８０の外面所定箇所に、使用者に対して視認可能に貼着されるものである。
【００５５】
ラベル８３は、図８（ｂ）、（ｃ）に示されるように、合成樹脂材からなるラベル貼着部材８４の前面に貼着されるようになっている。このラベル貼着部材８４の前面には、アンテナ２５’’の外径寸法よりも若干長寸の深さを有する溝８４ａが横向きＵ字状に形成されており、アンテナ２５’’を前面側から埋設することが出来るようになっており、アンテナ２５’’を埋設した際にアンテナ２５’’がラベル貼着部材８４の前面から外方に突出しないように形成されている。また、溝８４ａは、その一端部のみが裏面側に貫通されており、埋設したアンテナ２５’’の一端を、外部に露呈することなく天板８１ａ側に引き出すことが出来るようになっている。
【００５６】
上記のように構成されたラベル貼着部材８４は、ラベル８３を貼着する箇所、ここでは天板８１ａの前端面に接着剤等を介して取付けられる。アンテナ２５’’は、このように天板８１ａに取付けられたラベル貼着部材８４の前面に形成された溝８４ａ内に埋設されることにより、筐体８１の外面板としての天板８１ａの前端面所定箇所、すなわち、アンテナ２５’’の外面側が金属部により遮られることがない箇所、特にこの場合は外面板としての天板８１ａの外表面に、ラベル貼着部材８３を介して金属板からなる天板８１ａに直接接触することがないように設けられるため、電波を受信しやすくなる。
【００５７】
また、アンテナ２５’’が設けられたラベル貼着部材８３の前面にラベル８３が貼着されることにより、アンテナ２５’’がラベル８３により隠蔽されて外面に露出しないので、キャビネット８１の外観体裁が損なわれることがない。
【００５８】
なお、本実施例におけるラベル８３は、什器の使用上の注意事項等が記載されたものであったが、アンテナを隠蔽するためのラベルの種類等は特に上記のようなラベルに限定されるものではなく、什器の所定箇所に、使用者に対して視認可能に取付けられるラベルであれば、例えば、商品名や製造会社名、あるいは製造番号等が記載されたラベル等でもよい。
【００５９】
以上、本発明の実施例を図面により説明してきたが、具体的な構成はこれら実施例に限られるものではなく、本発明の要旨を逸脱しない範囲における変更や追加があっても本発明に含まれる。
【００６０】
例えば、上記各実施例において、送信機としてのリモコンキーから送信される施解錠信号（電波）を受信するアンテナ部（アンテナ２５〜２５’’）は、可動体である引出し２ａ、引出し８２や扉６２が設けられている什器の前面側、すなわち、これら可動体が引き出されたり開成されることがあることから他の什器が設置されたり壁により塞がれること等がない箇所に設けられているため、電波を良好に受信することが出来るようになっているが、配設位置は什器の前面側に限定されるものではなく、外面板を構成する側板、背板、上板等に設けてもよい。
【００６１】
また、本発明の什器は、什器本体と、この本体に対して可動自在に設けられた可動体と、からなり、この可動体を施解錠可能な施解錠装置を備える什器であれば、上記実施例に記載したものに限定されるものではなく、種々の形態の什器が含まれる。
【００６２】
また、本発明の請求項中に記載の「什器の外面に露出するように設けられる合成樹脂部材」は、上記第１、第２実施例にて説明したような、引出しの前面を装飾する化粧板１４や把手部空間を構成するカバー体６４等に限定されるものではなく、機能的もしくはデザイン的に予め什器に設けられる合成樹脂部材であればその種類は問われるものではない。
【００６４】
【発明の効果】
本発明は以下の効果を奏する。
【００６５】
請求項１項の発明によれば、アンテナ部が什器の外面に露出するように設けられた合成樹脂部材の裏面に取付けられているので、電波を受信しやすくなるとともに、什器が金属製である場合には、アンテナ部が金属部に直接接触して電波を正常に受信出来なくなったり、送信される電波が金属部に遮断されて受信出来なくなることがないので、什器の可動体の施解錠が確実に行われる。また施解錠部と、その駆動要素部と、アンテナ部とが可動体に設けられているので、配線を可動部側だけで簡素にまとめることができ、施解錠装置の組み付けやメンテナンスにおける作業性の向上が図れる。
【図面の簡単な説明】
【図１】本発明の什器の第１実施例としてのキャビネットを示す斜視図である。
【図２】（ａ）は（ｂ）のＡ−Ａ断面図であり、（ｂ）はキャビネットの横断面図である。
【図３】（ａ）は図１のキャビネットの引出し部の正面図であり、（ｂ）は図２（ａ）の要部拡大図である。
【図４】本発明の什器の第２実施例としてのキャビネットを示す斜視図である。
【図５】（ａ）は図４のキャビネットの扉部分の拡大図であり、（ｂ）は（ａ）のＢ−Ｂ断面図である。
【図６】（ａ）は図４のキャビネットのアンテナの配置位置の変形例を示す図であり、（ｂ）は（ａ）のＣ−Ｃ断面図である。
【図７】本発明の什器の第３実施例としてのキャビネットを示す斜視図である。
【図８】（ａ）は図７のキャビネットの平面及び側面の要部拡大図であり、（ｂ）はラベル貼着部材の取付け位置と構造を示す図であり、（ｃ）は（ｂ）のＤ−Ｄ断面図である。
【符号の説明】
１                        キャビネット（什器）
１ａ                      本体
２、２ａ                  引出し（可動体）
３                        底板
４                        側板
４ａ                      挿通孔
５                        後板
５ａ                      折曲げ片
６                        前板
７                        収納部
８                        側板
９                        固定レール
１０                      移動レール
１１                      滑り部材
１２                      支持ローラ
１３                      取手
１４                      化粧板（合成樹脂部材）
１６                      作動板
１７                      施錠孔
１８                      減速モータ
１９                      変換機構
２０                      検出センサ
２１                      キー孔
２２                      シリンダ錠
２３                      報知ＬＥＤ
２４                      検出スイッチ
２５、２５’、２５’’      アンテナ（アンテナ部）
２６                      ケーブル挿通穴
２７                      制御装置
２７ａ                    制御基板
２８                      バッテリ
２９、２９’              カバー体
２９ａ                    下端片
２９ｂ                    上板
３０                      載置板
３１                      ネジ
３２                      挿通穴
５０                      接続端子
５１                      固着用樹脂
６０                      両開きキャビネット（什器）
６１                      筐体（本体）
６１ａ                    天板（外面板）
６２                      扉（可動体）
６３                      連結棒
６４                      カバー体（合成樹脂部材）
６５                      把手
６６                      凹部
６７                      係合片
６８                      係合部
６９                      キー孔
７０                      作動棒
７１                      アンテナ固定部材
７１ａ                    ベース部
７１ｂ                    蓋部
８０                      キャビネット（什器）
８１                      筐体（本体）
８１ａ                    天板（外面板）
８２                      引出し（可動体）
８３                      ラベル
８４                      ラベル貼着部材
８４ａ                    溝
８５                      連結棒
Ｋ１〜Ｋ５                ケーブル
Ｓ１                      配線空間部
Ｓ２                      収容空間部
【図１】
0003923334.tif 000002
【図２】
0003923334.tif 000003
【図３】
0003923334.tif 000004
【図４】
0003923334.tif 000005
【図５】
0003923334.tif 000006
【図６】
0003923334.tif 000007
【図７】
0003923334.tif 000008
【図８】
0003923334.tif 000009